(57)【要約】【課題】  発信者ごとに通話予定のスケジュールを設定し、通話時刻が重複しないように、各スケジュールを管理することができるスケジュール管理システムを提供する。【解決手段】  スケジュール管理システム１を、電話通信を行う電話通信部１１と、スケジュールを登録するスケジュール登録部１２と、スケジュールの登録時刻に着信があったときに発信者に対してメッセージを伝達するメッセージ伝達部１３であって、スケジュールとして登録されていない未登録時刻を示すメッセージを伝達するメッセージ伝達部１３と、から構成し、スケジュール登録部１２に、該未登録時刻に該発信者と電話通信を行うという旨のスケジュールを新たに登録させる。【選択図】      図３
2014045368.tif 000002
【特許請求の範囲】
【請求項１】
電話通信を行う通信部と、
スケジュールを登録する登録部と、
前記登録部にスケジュールとして登録されている登録時刻に前記通信部に着信があったときに、発信者に対してメッセージを伝達するメッセージ伝達部と、を備え、
前記メッセージ伝達部は、前記登録部にスケジュールとして登録されていない未登録時刻を示すメッセージを前記発信者に伝達し、
前記登録部は、前記未登録時刻に前記発信者と電話通信を行うという旨のスケジュールを、新たに登録することを特徴とするスケジュール管理システム。
【請求項２】
前記メッセージ伝達部は、前記登録部に登録されている前記登録時刻におけるスケジュールのうち、電話通信を行うという旨のスケジュールを除く、予め定めるスケジュールを示すメッセージを、前記発信者に伝達することを特徴とする請求項１に記載のスケジュール管理システム。
【請求項３】
前記発信者からの応答を受け付ける応答受付部を備え、
前記メッセージ伝達部は、前記未登録時刻を示すメッセージと該未登録時刻に電話通信するか否かを前記発信者に問うメッセージとを、前記発信者に伝達し、
前記応答受付部は、前記未登録時刻に電話通信するか否かの応答を、前記発信者から受け付け、
前記登録部は、前記応答受付部により前記未登録時刻に電話通信するという応答が受け付けられたときに、前記未登録時刻に前記発信者と電話通信を行うという旨のスケジュールを、新たに登録することを特徴とする請求項１または２に記載のスケジュール管理システム。
【請求項４】
前記応答受付部により前記未登録時刻に電話通信するという応答が受け付けられなかったときに、
前記メッセージ伝達部は、前記登録部にスケジュールとして登録されていない、前記未登録時刻とは異なる他の未登録時刻を示すメッセージと該他の未登録時刻に電話通信するか否かを前記発信者に問うメッセージとを、前記発信者に伝達し、
前記応答受付部は、前記他の未登録時刻に電話通信するか否かの応答を、前記発信者から受け付け、
前記登録部は、前記応答受付部により前記他の未登録時刻に電話通信するという応答が受け付けられたときに、前記他の未登録時刻に前記発信者と電話通信を行うという旨のスケジュールを、新たに登録することを特徴とする請求項３に記載のスケジュール管理システム。
【発明の詳細な説明】
【技術分野】
【０００１】
本発明は、スケジュール管理システムに関する。
【背景技術】
【０００２】
電話装置の分野では、会議や車両の運転中などユーザが通話できない状況にあるときに、電話装置自身が発信者側の電話装置へ自動返信する技術が知られている。たとえば、特許文献１に記載の電話装置は、ユーザが通話できない状況にあるときに、予め登録された通話不可理由および通話可能時間帯を含むメッセージを、発信者側の電話装置へ自動返信するように構成される。
【先行技術文献】
【特許文献】
【０００３】
【特許文献１】特開２００８−２９４８５５号公報
【発明の概要】
【発明が解決しようとする課題】
【０００４】
特許文献１に記載の電話装置によれば、ユーザと通話できなかった発信者は、メッセージで指示された通話可能時間帯に再度通話しようと試みる。よって、ユーザと通話できなかった発信者が２人以上いる場合、各人が同じ通話可能時間帯に再度通話しようと試みることになる。その結果、２人以上の発信者のうちの最初の１人のみがユーザと通話可能となり、残りの発信者は、通話可能時間帯を指示されていたにもかかわらず、最初の１人が通話中のため、ユーザと通話できないということになってしまう。
【０００５】
本発明は、上述した課題を解決するためのものであり、発信者ごとに通話予定のスケジュールを設定し、通話時刻が重複しないように、各スケジュールを管理することができるスケジュール管理システムを提供することを目的とする。
【課題を解決するための手段】
【０００６】
本発明は、電話通信を行う通信部と、
スケジュールを登録する登録部と、
前記登録部にスケジュールとして登録されている登録時刻に前記通信部に着信があったときに、発信者に対してメッセージを伝達するメッセージ伝達部と、を備え、
前記メッセージ伝達部は、前記登録部にスケジュールとして登録されていない未登録時刻を示すメッセージを前記発信者に伝達し、
前記登録部は、前記未登録時刻に前記発信者と電話通信を行うという旨のスケジュールを、新たに登録することを特徴とするスケジュール管理システムである。
【０００７】
また本発明は、前記メッセージ伝達部は、前記登録部に登録されている前記登録時刻におけるスケジュールのうち、電話通信を行うという旨のスケジュールを除く、予め定めるスケジュールを示すメッセージを、前記発信者に伝達することを特徴とする。
【０００８】
また本発明は、前記発信者からの応答を受け付ける応答受付部を備え、
前記メッセージ伝達部は、前記未登録時刻を示すメッセージと該未登録時刻に電話通信するか否かを前記発信者に問うメッセージとを、前記発信者に伝達し、
前記応答受付部は、前記未登録時刻に電話通信するか否かの応答を、前記発信者から受け付け、
前記登録部は、前記応答受付部により前記未登録時刻に電話通信するという応答が受け付けられたときに、前記未登録時刻に前記発信者と電話通信を行うという旨のスケジュールを、新たに登録することを特徴とする。
【０００９】
また本発明は、前記応答受付部により前記未登録時刻に電話通信するという応答が受け付けられなかったときに、
前記メッセージ伝達部は、前記登録部にスケジュールとして登録されていない、前記未登録時刻とは異なる他の未登録時刻を示すメッセージと該他の未登録時刻に電話通信するか否かを前記発信者に問うメッセージとを、前記発信者に伝達し、
前記応答受付部は、前記他の未登録時刻に電話通信するか否かの応答を、前記発信者から受け付け、
前記登録部は、前記応答受付部により前記他の未登録時刻に電話通信するという応答が受け付けられたときに、前記他の未登録時刻に前記発信者と電話通信を行うという旨のスケジュールを、新たに登録することを特徴とする。
【発明の効果】
【００１０】
本発明によれば、登録部にスケジュールとして登録されている登録時刻に着信があったときに、発信者に対して、メッセージ伝達部によって、登録部にスケジュールとして登録されていない未登録時刻を示すメッセージ伝達し、該未登録時刻に該発信者と電話通信を行うという旨のスケジュールを、登録部によって新たに登録することができる。したがって、登録時刻に複数の発信者それぞれから着信があったときに、発信者ごとに通話予定のスケジュールを設定し、通話時刻が重複しないように、各スケジュールを管理することができる。
【００１１】
また本発明によれば、登録部にスケジュールとして登録されている登録時刻に着信があったときに、メッセージ伝達部によって、該登録時刻におけるスケジュールのうち、電話通信を行うという旨のスケジュールを除く、予め定めるスケジュールを示すメッセージを、発信者に伝達することができる。したがって、登録部によって自動的に登録された、電話通信を行うという旨のスケジュールが発信者に公開されるのを防ぐとともに、ユーザが予め公開を許可したスケジュールを、該発信者に公開することができる。
【００１２】
また本発明によれば、メッセージ伝達部によってメッセージで示された未登録時刻に電話通信するという応答が発信者から得られたときに、該未登録時刻に該発信者と電話通信を行うという旨のスケジュールを、登録部によって新たに登録することができる。したがって、発信者に都合の良い時刻を、電話通信を行う時刻に設定することができる。
【００１３】
また本発明によれば、メッセージ伝達部によってメッセージで示された未登録時刻に電話通信するという応答が発信者から得られなかったときには、メッセージ伝達部により他の未登録時刻がメッセージとして該発信者に伝達されるので、発信者は複数の時刻から発信者に都合の良い時刻を選択して、電話通信を行う時刻に設定することができる。
【図面の簡単な説明】
【００１４】
【図１】スケジュール管理システム１の構成を示すブロック図である。
【図２】スケジュール管理システム１の外観を示す平面図である。
【図３】スケジュール管理システム１の処理の第１態様を示すフローチャートである。
【図４】スケジュール管理システム１の処理の第２態様を示すフローチャートである。
【発明を実施するための形態】
【００１５】
図１は、本発明に係るスケジュール管理システム１の構成を示すブロック図である。図２は、本発明に係るスケジュール管理システム１の外観を示す平面図である。図１に示すように、スケジュール管理システム１は、電話通信部１１と、スケジュール登録部１２と、メッセージ伝達部１３と、応答受付部１４とを備える。これらの各部１１〜１４は、ＣＰＵ（Central Processing Unit）などの制御演算回路、ＲＡＭ（Random Access Memory）などの揮発性記録媒体、ＲＯＭ（Read Only Memory）など不揮発性記録媒体、アンテナなどの通信インターフェース、表示部やスピーカなどの出力部、ボタンやタッチパネルなどの入力部によって、機能的に実現される。
【００１６】
なお、図２に示すように、スケジュール管理システム１として、携帯電話装置やスマートフォンなどの携帯端末装置を想定しているが、これに限定されることはない。たとえば、スケジュール管理システム１は、電話通信部１１とメッセージ伝達部１３と応答受付部１４とを備える電話装置と、スケジュール登録部１２を備えるスケジュール管理装置とが、無線ＬＡＮ（Local Area Network）などによりデータ通信可能にネットワーク接続された通信システムであってもよい。
【００１７】
電話通信部１１は、アンテナを介して、電気通信事業者が設置する携帯電話基地局との間で無線通信を行い、電話機能を備える他の装置との音声通話を実現させる。
【００１８】
スケジュール登録部１２は、スケジュール管理システム１のユーザのスケジュールを、スケジュール登録部１２内の不揮発性記録媒体に登録する。スケジュールの登録は、スケジュール登録部１２自身の判断、または、表示部および入力部を用いたユーザの入力指示に基づいて行われる。スケジュールは、時刻と内容との組合せであり、たとえば「７／１１  １３：００〜１４：３０  会議」などのように登録される。
【００１９】
メッセージ伝達部１３は、登録時刻に電話通信部１１に着信があったときに、発信者に対してメッセージを伝達する。ここで、登録時刻とは、スケジュール登録部１２にスケジュールとして登録されている時刻である。より具体的には、スケジュールとして開始時刻および終了時刻が登録されている場合には、開始時刻、および開始時刻と終了時刻との間の１分刻みの時刻（ただし終了時刻を除く）であり、スケジュールとして開始時刻のみが登録されている場合には、開始時刻、および開始時刻以降の１分刻みの時刻であり、スケジュールとして終了時刻のみが登録されている場合には、終了時刻までの１分刻みの時刻（ただし終了時刻を除く）である。このような登録時刻に対して、スケジュール登録部１２にスケジュールとして登録されていない時刻を、未登録時刻と称することにする。たとえば、スケジュール登録部１２に、「７／１１  １３：００〜１４：３０  会議」というスケジュールのみが登録されている場合、「７／１１  １３：００」や「７／１１  １４：００」は登録時刻であり、「７／１１  １４：３０」や「７／１１  １４：３５」は未登録時刻であるとする。
【００２０】
メッセージ伝達部１３によるメッセージの伝達は、たとえば、自動音声通話によって行われる。自動音声通話は、メッセージの内容とメッセージ伝達部１３に予め記録される音声データとから、該メッセージの内容を示す自動音声データがメッセージ伝達部１３により合成され、電話通信部１１によって該自動音声データが電話回線を介して発信者へ送信されるものである。メッセージの内容は、後述するように、スケジュール登録部１２に登録されているスケジュールによって決定される。なお、メッセージ伝達部１３によるメッセージの伝達は、自動音声通話に限られず、たとえば、メッセージの内容を示す電子メールをメッセージ伝達部１３が作成し、該電子メールをメッセージ伝達部１３がインターネットを介して、予め登録された発信者の電子メールアドレス宛にデータ送信することで行われてもよい。
【００２１】
応答受付部１４は、発信者からの応答を受け付ける。たとえば、応答受付部１４は、発信者の電話装置から電話回線を介して送信されてきた発信者音声データを、メッセージ伝達部１３に予め記録される音声データと照合することで、該発信者音声データの示す内容を認識し、該内容に対応する処理を行う。なお、これに限られず、応答受付部１４は、発信者の電話装置から電話回線を介して送信されてきたダイヤルキーの押下データに基づいて、押下されたダイヤルキーを認識して、該ダイヤルキーに対応する処理を行ってもよい。さらに別の態様として、メッセージ伝達部１３が発信者へ電子メールを送信した場合において、該発信者の電話装置が該電子メールに対する返信の電子メールをスケジュール管理システム１へ送信したときに、応答受付部１４は、該返信の電子メールの内容に対応する処理を行ってもよい。
【００２２】
以上のように構成されるスケジュール管理システム１では、スケジュールの登録時刻に電話通信部１１に着信があったときに、メッセージ伝達部１３が、スケジュール登録部１２にスケジュールとして登録されていない未登録時刻を示すメッセージを発信者に伝達し、スケジュール登録部１２が、該未登録時刻に該発信者と電話通信を行うというスケジュールを新たに登録する。このようなスケジュール管理システム１の処理の具体的な第１態様および第２態様について、以下に説明する。
【００２３】
図３は、スケジュール管理システム１の処理の第１態様を示すフローチャートである。まず、ステップＡ１では、スケジュール管理システム１のユーザが、スケジュール登録部１２にスケジュールを登録する。また、ユーザは、各スケジュールについて、公開可とするか否か、および、公開可とする場合に誰を公開対象者とするのかをスケジュール登録部１２に登録する。さらに、ユーザは、スケジュールの公開対象者に対応する通話予定時間をスケジュール登録部１２に登録する。なお、スケジュールの公開対象者の登録は、たとえば、スケジュール管理システム１に予め記録されるアドレス帳などを利用して行われる。以下の表１に、３つのスケジュールの登録例を示す。
【００２４】
【表１】
2014045368.tif 000003
【００２５】
表１に示す「会議」のスケジュールは公開可であり、ａ氏、ｂ氏、およびｃ氏が公開対象者となっている。また、表１に示す「英会話教室」のスケジュールは公開可であり、ａ氏のみが公開対象者となっている。また、表１に示す「読書」のスケジュールは公開不可である。表１において、ａ氏に対する通話予定時間は５分であり、ｂ氏およびｃ氏に対する通話予定時間は１０分であるが、通話予定時間はすべての公開対象者に対して同じ時間であってもよい。
【００２６】
ステップＡ２では、電話通信部１１に対して、他の電話装置から着信がある。ステップＡ３では、ステップＡ２の着信時刻が登録時刻であり、かつ、該登録時刻におけるスケジュールが公開可であり、かつ、ステップＡ２の発信者が公開対象者であるか否かを、メッセージ伝達部１３が判断する。着信時刻が登録時刻であり、かつ、該登録時刻におけるスケジュールが公開可であり、かつ、発信者が公開対象者である場合には、ステップＡ４へ進む。着信時刻が登録時刻でないか、スケジュールが公開不可であるか、または、発信者が公開対象者でない場合には、メッセージ伝達部１３は、通常の機能、たとえば留守番電話機能を発揮して処理を終了する。
【００２７】
ステップＡ４では、メッセージ伝達部１３が、スケジュール登録部１２に登録されている各スケジュールに基づいて、ステップＡ２の着信時刻におけるスケジュールの内容を取得し、該内容を示すメッセージを、ステップＡ２の発信者へ伝達する。また、メッセージ伝達部１３は、スケジュール登録部１２に登録されている各スケジュールと、発信者に対応する通話予定時間とから、通話可能な未登録時刻を判断し、該通話可能な未登録時刻のうち、ステップＡ２の着信時刻以降の最も早い時刻を、通話開始予定時刻とする。そして、メッセージ伝達部１３は、該通話開始予定時刻を示すメッセージを、該発信者へ伝達する。ここで、通話可能な未登録時刻とは、ある未登録時刻を起点とする場合において、該未登録時刻から通話予定時間経過時までのすべての時刻が未登録時刻となるときの、該起点となる未登録時刻である。
【００２８】
メッセージ伝達部１３は、たとえば、スケジュールの内容を示すメッセージと、通話開始予定時刻を示すメッセージとを併せて、自動音声通話により発信者へ伝達する。具体例として、表１の各スケジュールが登録されている場合において、ステップＡ２の着信時刻が「７月１１日  １４：００」であり、ステップＡ２の発信者がａ氏である例を想定する。この具体例では、メッセージ伝達部１３は、たとえば、「現在、会議中のため通話することができません。本日、１４時３０分を、通話を開始する予定時刻として登録しますので、再度電話をおかけ直しください。」といったメッセージを、発信者であるａ氏の電話装置へ伝達する。
【００２９】
ステップＡ５では、スケジュール登録部１２が、ステップＡ４の通話開始予定時刻と、ステップＡ２の発信者の名前と、該発信者に対応する通話予定時間とに基づいて、該通話開始予定時刻から該通話予定時間経過時まで該発信者と通話するというスケジュールを登録する。たとえば、上記具体例では、スケジュール登録部１２は、「７／１１  １４：３０〜１４：３５  ａ氏と電話」というスケジュールを新たに登録する。新たなスケジュールの登録後、電話通信部１１は自動音声通話を終了させる。なお、この新たなスケジュールは、ユーザの入力指示によるものではなく、スケジュール登録部１２自身の判断によるものであるので、ユーザが気づかないうちに登録される可能性が高い。そこで、この新たなスケジュールは、公開不可としてスケジュール登録部１２に登録されることが好ましい。または、各公開対象者に対して、スケジュール登録部１２により自動的に登録される通話スケジュールも公開するか否かを、予め登録するようにしてもよい。
【００３０】
このようなステップＡ１〜ステップＡ５の処理によれば、スケジュールの登録時刻に電話通信部１１に着信があったときに、該スケジュールにより通話できない旨を示すメッセージと、通話開始予定時刻を示すメッセージとが、メッセージ伝達部１３によって発信者に伝達される。そして、スケジュール登録部１２は、該通話開始予定時刻に発信者と電話通信を行うというスケジュールを、新たに登録する。したがって、それぞれ異なる発信者からの着信によってステップＡ１〜ステップＡ５の処理が行われたとき、発信者ごとに異なる通話開始予定時刻が設定され、スケジュールとして登録されることになる。よって、発信者ごとに通話予定のスケジュールを設定し、通話開始予定時刻が重複しないように、各スケジュールを自動的に管理することができる。
【００３１】
次に、図４のフローチャートを用いて、スケジュール管理システム１の処理の第２態様について説明する。まず、ステップＢ１では、スケジュール管理システム１のユーザが、スケジュール登録部１２にスケジュールを登録する。このステップＢ１の処理は、上述したステップＡ１の処理と同じである。
【００３２】
ステップＢ２では、電話通信部１１に対して、他の電話装置から着信がある。ステップＢ３では、ステップＢ２の着信時刻が登録時刻であり、かつ、該登録時刻におけるスケジュールが公開可であり、かつ、ステップＢ２の発信者が公開対象者であるか否かを、メッセージ伝達部１３が判断する。着信時刻が登録時刻であり、かつ、該登録時刻におけるスケジュールが公開可であり、かつ、発信者が公開対象者である場合には、ステップＢ４へ進む。着信時刻が登録時刻でないか、スケジュールが公開不可であるか、または、発信者が公開対象者でない場合には、メッセージ伝達部１３は、通常の機能、たとえば留守番電話機能を発揮して処理を終了する。
【００３３】
ステップＢ４では、メッセージ伝達部１３が、スケジュール登録部１２に登録されている各スケジュールに基づいて、ステップＢ２の着信時刻におけるスケジュールの内容を取得し、該内容を示すメッセージを、ステップＢ２の発信者へ伝達する。また、メッセージ伝達部１３は、スケジュール登録部１２に登録されている各スケジュールと、発信者に対応する通話予定時間とから、通話可能な未登録時刻を判断し、該通話可能な未登録時刻のうち、ステップＢ２の着信時刻以降の最も早い時刻を通話開始予定時刻し、該通話開始予定時刻を示すメッセージを、該発信者へ伝達する。さらに、メッセージ伝達部１３は、該通話開始予定時刻に通話するか否かを発信者に問うメッセージを、該発信者に伝達する。
【００３４】
メッセージ伝達部１３は、たとえば、スケジュールの内容を示すメッセージと、通話開始予定時刻を示すメッセージと、該通話開始予定時刻に通話するか否かを発信者に問うメッセージとを併せて、自動音声通話により発信者へ伝達する。具体例として、表１の各スケジュールが登録されている場合において、ステップＢ２の着信時刻が「７月１１日  １４：００」であり、ステップＢ２の発信者がａ氏である例を想定する。この具体例では、メッセージ伝達部１３は、たとえば、「現在、会議中のため通話することができません。本日、１４時３０分を、通話を開始する予定時刻として登録しますか？この時刻でよろしければダイヤルキーの１を、この時刻以降の他の時刻を希望する場合にはダイヤルキーの９を押してください。」といったメッセージを、発信者であるａ氏の電話装置へ伝達する。
【００３５】
ステップＢ５では、応答受付部１４は、ステップＢ４の通話開始予定時刻に通話するか否かの応答を、ステップＢ２の発信者から受け付ける。上記具体例の場合では、応答受付部１４は、発信者の電話装置から電話回線を介して送信されてきたダイヤルキーの押下データに基づいて、押下されたダイヤルキーが「１」であるか「９」であるかを認識する。押下されたダイヤルキーが「１」である場合には、応答受付部１４は通話開始予定時刻に通話すると判断して、ステップＢ７へ進む。押下されたダイヤルキーが「９」である場合には、応答受付部１４は通話開始予定時刻に通話しないと判断して、ステップＢ６へ進む。
【００３６】
上記具体例では、応答受付部１４は、ダイヤルキーの押下データに基づいて通話開始予定時刻に通話するか否かを判断しているが、発信者音声データに基づいて通話開始予定時刻に通話するか否かを判断してもよい。この場合、たとえば、応答受付部１４は、発信者の電話装置から電話回線を介して送信されてきた発信者音声データを、メッセージ伝達部１３に予め記録される音声データと照合することで、該発信者音声データの示す内容が「はい」であるか「いいえ」であるかを認識する。そして、発信者音声データの示す内容が「はい」である場合には、応答受付部１４は通話開始予定時刻に通話すると判断して、ステップＢ７へ進み、発信者音声データの示す内容が「いいえ」である場合には、応答受付部１４は通話開始予定時刻に通話しないと判断して、ステップＢ６へ進む。
【００３７】
なお、このようなステップＢ５において、押下されたダイヤルキーが「９」であるときや、発信者音声データの示す内容が「いいえ」であるときに、メッセージ伝達部１３が、発信者に対して通話を終了するか否かを確認し、応答受付部１４が通話を終了するという応答を受け付けると、電話通信部１１が自動音声通話を終了するように構成してもよい。このように構成される場合には、応答受付部１４が通話を終了しないという応答を受け付けたときに、ステップＢ６へ進むことになり、応答受付部１４が通話を終了するという応答を受け付けたときに、電話通信部１１が自動音声通話を終了することになる。
【００３８】
ステップＢ６では、スケジュール登録部１２は、ステップＢ４の通話開始予定時刻からステップＢ２の発信者に対応する通話予定時間経過時までの時間帯を、登録時刻として仮登録し、その後、ステップＢ４へ戻る。たとえば、上記具体例において、ステップＢ４の通話開始予定時刻からステップＢ２の発信者に対応する通話予定時間経過時までの時間帯である「７／１１  １４：３０〜１４：３５」を、登録時刻として仮登録し、その後、ステップＢ４の処理を再度行うと、ステップＢ４の通話開始予定時刻は「７／１１  １４：３５」となる。
【００３９】
ステップＢ７では、スケジュール登録部１２が、ステップＢ５において通話するという応答があった通話開始予定時刻と、ステップＢ２の発信者の名前と、該発信者に対応する通話予定時間とに基づいて、該通話開始予定時刻から該通話予定時間経過時まで該発信者と通話するというスケジュールを登録する。たとえば、上記具体例において、ステップＢ６の処理が２回行われ、ステップＢ４の処理が３回行われて、ステップＢ７へ進んだと仮定すると、スケジュール登録部１２は、「７／１１  １４：４０〜１４：４５  ａ氏と電話」というスケジュールを新たに登録する。新たなスケジュールの登録後、電話通信部１１が音声通話を終了させる。なお、この新たなスケジュールは、公開不可としてスケジュール登録部１２に登録される。また、ステップＢ６において登録時刻として仮登録された時刻は、ステップＢ７において、スケジュール登録部１２により仮登録が解除され、未登録時刻となる。
【００４０】
このようなステップＢ１〜ステップＢ７の処理によれば、スケジュールの登録時刻に電話通信部１１に着信があったときに、該スケジュールにより通話できない旨を示すメッセージと、通話開始予定時刻を示すメッセージと、該通話開始予定時刻に通話するか否かを問うメッセージとが、メッセージ伝達部１３によって発信者に伝達される。そして、スケジュール登録部１２は、該通話開始予定時刻に通話するという応答があったときに、該通話開始予定時刻に発信者と電話通信を行うというスケジュールを、新たに登録する。したがって、第１態様のときと同様に、発信者ごとに通話予定のスケジュールを設定し、通話開始予定時刻が重複しないように、各スケジュールを管理することができるとともに、各発信者に通話開始予定時刻を選択可能とし、各発信者に都合のよい時刻を通話開始予定時刻とすることができる。
【００４１】
なお、各発信者が任意の時刻を通話開始予定時刻に設定できるように構成してもよい。このように構成される場合、メッセージ伝達部１３は、発信者による着信時刻以降であって、２つのスケジュールの間の時間帯を伝達し、ダイヤルキーの押下によって時間を指定可能とする。具体例として、表１の各スケジュールが登録されている場合において、「７月１１日  １４：００」にａ氏から着信があった例を想定する。この具体例では、メッセージ伝達部１３は、たとえば、「現在、会議中のため通話することができません。本日、１４時３０分から１５時５５分までは、通話を開始する予定時刻として登録可能です。この時間帯の中の御希望の時間帯を、ダイヤルキーによって４桁の数字で入力してください。」といったメッセージを、発信者へ伝達する。応答受付部１４は、４つのダイヤルキーの押下データが示す４桁の数字（上２桁が時を表し、下２桁が分を表す）で表される時刻を受け付け、該時刻が１４時３０分から１５時５５分までの間の時刻であるときに、スケジュール登録部１２が、該時刻を通話開始予定時刻として通話を行うというスケジュールを登録する。
【００４２】
スケジュール管理システム１は、上記第１態様および第２態様の処理によって通話のスケジュールがスケジュール登録部１２に自動的に登録された後、ユーザが、電話通信部１１によって、該スケジュールが示す発信者と、自動音声通話ではない通常の音声通話を行ったときには、スケジュール登録部１２が該スケジュールを自動的に削除するように構成されてもよい。これにより、通話のスケジュールの自動登録後、該スケジュールが示す通話開始予定時刻よりも前に、ユーザが該発信者と通話したときなど、スケジュールを残しておく必要がないときに、ユーザの手間をかけることなく、該スケジュールを自動削除することができる。
【００４３】
また、スケジュール管理システム１は、上記第１態様および第２態様の処理によって通話のスケジュールがスケジュール登録部１２に自動的に登録された後、該スケジュールが示す発信者から、該スケジュールが示す通話開始予定時刻よりも前の時刻であって、公開可の他のスケジュールの登録時刻に、再度着信があった場合には、メッセージ伝達部１３により、登録したスケジュールを変更するか否かを問うメッセージを、該発信者へ伝達するように構成されてもよい。具体例として、表１の各スケジュールが登録されている場合において、「７月１１日  １４：００」にａ氏から着信があり、第２態様の処理によって、「７／１１  １８：３０〜１８：３５  ａ氏と電話」というスケジュールが自動登録された例を想定する。この具体例において、「７月１１日  １７：００」にａ氏からの着信が再度あると、メッセージ伝達部１３は、たとえば、「現在、英会話教室中のため通話することができません。本日、１８時３０分を、通話を開始する予定時刻として登録していますが、登録内容を変更されますか？登録内容の変更を希望する場合はダイヤルキーの１を、登録内容の変更を希望しない場合にはダイヤルキーの９を、登録を解除する場合にはダイヤルキーの５を押してください。」といったメッセージを、発信者へ伝達する。応答受付部１４は、ダイヤルキーの押下データが「１」を示す場合には、スケジュールの登録内容を変更すると判断して、ステップＢ６の処理およびそれ以降の処理を行わせる。ここで、ステップＢ６において仮登録される時刻は、「７／１１  １８：３０〜１８：３５」である。また、応答受付部１４は、ダイヤルキーの押下データが「９」を示す場合には、スケジュールの登録内容を変更しないと判断して、電話通信部１１に自動音声通話を終了させ、ダイヤルキーの押下データが「５」を示す場合には、スケジュールの登録を解除すると判断して、スケジュール登録部１２にスケジュールを削除させる。なお、この具体例では、応答受付部１４は、ダイヤルキーの押下データに基づいて、スケジュールの登録内容を変更するか否か、および、登録を解除するか否かを判断しているが、発信者音声データに基づいて判断を行ってもよい。
【００４４】
以上のようなスケジュール管理システム１は、携帯端末装置であってもよいし、上述したように、複数の装置からなる通信システムであってもよい。通信システムの場合、近距離無線通信によって各装置が連携することで、電話通信部１１、スケジュール登録部１２、メッセージ伝達部１３、および応答受付部１４の機能が発揮されることが好ましい。
【符号の説明】
【００４５】
１  スケジュール管理システム
１１  電話通信部
１２  スケジュール登録部
１３  メッセージ伝達部
１４  応答受付部
【図１】
2014045368.tif 000004
【図２】
2014045368.tif 000005
【図３】
2014045368.tif 000006
【図４】
2014045368.tif 000007